(57)【要約】      （修正有）【課題】切りくずが伸びやすい被削材の切削加工、特に仕上げ切削における切りくず処理性を改善したチップを提供する。【解決手段】本チップは、逃げ面３側からみて山部１０と谷部１１を交互に繰り返す波形の切れ刃を有する。さらに、ノーズ切れ刃５のすくい面２上内側の領域には、該ノーズ切れ刃５の二等分線によって切断される断面において、斜め上方に立ち上がる第１傾斜面２１と、この第１傾斜面２１に交差し、水平に延びるか又は第１傾斜面２１よりも緩やか角度で立ち上がる第２傾斜面２２とを有し、さらに前記二等分線に直角な方向に切断される断面において、水平線とのなす角度が４５〜７５°の範囲に設定される傾斜側面２４を有するブレーカ突起２０が形成される。【選択図】図４
2005096034.tif 000002
【特許請求の範囲】
【請求項１】
すくい面と逃げ面との交差稜線部に切れ刃を形成し、前記すくい面に対向する方向からみたとき、該切れ刃は、円弧状をなすノーズ切れ刃と、前記ノーズ切れ刃の両側に連なり直線状をなす横切れ刃とからなり、一方、該切れ刃は、前記逃げ面に対向する方向からみたとき、該切れ刃に沿って山部と谷部を繰り返す波形の形状をなすスローアウェイチップにおいて、該ノーズ切れ刃を二等分するノーズ先端部を山部とし、前記ノーズ先端部から両側へ離れる方向に向かって谷部と山部を交互に連続して形成し、該切れ刃のすくい面上の内側の領域には、該切れ刃に沿って該切れ刃に連なる第１すくい面と、前記第１すくい面の内側に連なる第２すくい面とが備えられ、前記山部における前記第１すくい面の水平方向の幅、すくい角をそれぞれＬ１、α１とし、前記谷部における前記第１すくい面の水平方向の幅、すくい角をそれぞれＬ２、α２としたとき、Ｌ１＜Ｌ２、α１＞α２の関係にあり、該ノーズ切れ刃から第１すくい面を介して連なる第２すくい面には、該ノーズ切れ刃の二等分線方向内側に向かって延びるブレーカ突起が連設され、該ブレーカ突起は、該ノーズ切れ刃の前記二等分線方向に切断される断面において、前記第２すくい面から斜め上方へ立ち上がる第１傾斜面と、前記第１傾斜面と交差するとともに前記第１傾斜面よりも緩やかに斜め上方に立ち上がり又は水平に延びる第２傾斜面とから形成されるとともに、前記第２傾斜面の内側には着座面となるボス面が形成され、さらに前記第１傾斜面と前記第２傾斜面との交差部は、前記ノーズ先端部よりも高位、且つ前記ボス面よりも低位とされ、一方、該ブレーカ突起は、前記二等分線に直角な方向に切断される断面において、斜め上方へ立ち上がる傾斜側面を備え、前記傾斜側面の水平線に対する傾斜角度（γ）が４５〜７５°の範囲に設定されていることを特徴とするスローアウェイチップ。
【請求項２】
該ノーズ切れ刃の前記二等分線方向に切断される断面において、前記ボス面と前記ノーズ先端部との高さの差をｔ１とし、前記ボス面と前記ノーズ先端部との高さの差をｔ２としたとき、１＜ｔ１／ｔ２＜５の関係にあることを特徴とする請求項１に記載のスローアウェイチップ。
【請求項３】
該ノーズ切れ刃の前記二等分線方向に切断される断面において、前記ノーズ先端部と前記第２すくい面の最深部との水平方向の間隔をＳ１とし、前記ノーズ先端部と前記交差部との水平方向の距離をＳ２としたとき、１＜Ｓ２／Ｓ１＜４の関係にあることを特徴とする請求項１又は請求項２に記載のスローアウェイチップ。
【請求項４】
該ノーズ切れ刃の前記二等分線方向に切断される断面において、前記第１傾斜面と水平線とのなす角度（β１）が２０〜５０°の範囲に設定され、さらに前記第２傾斜面と水平線とのなす角度（β２）が０〜３０°の範囲に設定されることを特徴とする請求項１〜３のいずれか１項に記載のスローアウェイチップ。
【請求項５】
該切れ刃の直角断面において、前記山部における前記第１すくい面のすくい角（α１）が０°＜α１≦１５°の範囲に設定され、前記谷部における前記第１すくい面のすくい角（α２）が０°＜α２≦１０°の範囲に設定されることを特徴とする請求項１〜４のいずれか１項に記載のスローアウェイチップ。
【請求項６】
該切れ刃の直角断面において、前記山部における前記第１すくい面の水平方向の幅Ｌ１が０ｍｍ＜Ｌ１≦０．５ｍｍの範囲に設定され、前記谷部における前記第１すくい面の水平方向の幅Ｌ２が０ｍｍ＜Ｌ２≦０．７ｍｍの範囲に設定されることを特徴とする請求項１〜５のいずれか１項に記載のスローアウェイチップ。
【請求項７】
該切れ刃を前記逃げ面に対向する方向からみたとき、前記ノーズ先端部に隣接する谷部を挟んで形成される下り傾斜切れ刃と上り傾斜切れ刃とのなす角度（θ）が１２０°＜θ≦１７０°の範囲に設定されることを特徴とする請求項１〜６のいずれか１項に記載のスローアウェイチップ。
【請求項８】
該切れ刃を前記逃げ面に対向する方向からみたとき、前記ノーズ先端部から前記ノーズ先端部に隣接する谷部までの水平方向の間隔をＷ１とし、前記谷部から前記谷部の前記ノーズ先端部の反対側に隣接する山部までの水平方向の間隔をＷ２としたとき、１＜Ｗ１／Ｗ２＜２の関係にあることを特徴とする請求項１〜７のいずれか１項に記載のスローアウェイチップ。
【請求項９】
該切れ刃を前記逃げ面に対向する方向からみたとき、前記ノーズ先端部から前記ノーズ先端部と隣接する谷部までの水平方向の間隔をＷ１とし、該切れ刃の山部と谷部との高さの差をＤとしたとき、５＜Ｗ１／Ｄ≦２０の関係にあることを特徴とする請求項１〜８のいずれか１項に記載のスローアウェイチップ。
【発明の詳細な説明】
【技術分野】
【０００１】
本発明は、スローアウェイチップ（以下、チップという）に関し、特に、旋削加工に用いられるブレーカ付きチップに関する。
【背景技術】
【０００２】
自動車部品や一般機械部品の切削加工の形態においては、切込み変動の発生する加工形態やＲ加工、倣い加工といった切りくずの流出方向が大きく変化するような加工形態が多い。また、被削材の面では、比較的被削性の良い鉛快削鋼のような材料だけでなく、熱間圧延軟鉄や冷間圧延板等のような延性の高い材料が多用される。このようなことから、上記部品の切削加工においては、切りくず処理のトラブルが発生しやすくなるため、従来から切りくずを螺旋状に確実にカールさせ安定的に排出することを課題としたチップが提案されている。
【０００３】
上記課題を解決することを目的としたチップとして、図１２、図１３に例示するようなチップがあった。このチップは、ノーズ部（５４）に湾曲したノーズ切れ刃（５３ａ）と、このノーズ切れ刃（５３ａ）の両側に横切れ刃（５３ｂ）とが形成されており、該ノーズ切れ刃（５３ａ）のブレーカ溝（５６）内の中央部位にブレーカ突起（５８）が形成されている。そして、ノーズ先端部に臨む前記ブレーカ突起（５８）の前面側に、エッジ状稜線（５８ａ）に対して左右対称に配置された一対の突起前面（５８ｂ）を備え、且つ、この突起前面（５８ｂ）のなす水平角が７０°〜１５０°に設定されている。（例えば、特許文献１参照）
【０００４】
【特許文献１】特開平１１―２１６６０４号公報
【発明の開示】
【発明が解決しようとする課題】
【０００５】
しかしながら、仕上げ切削では、製品の品質面の要求等から切込み、送り条件を低く設定するケースが多いため、チップのノーズ切れ刃内で主に切削することになり、切りくず厚みが薄くなる。また製品形状に応じたＲ加工、テーパ加工等の倣い加工が多くなるため、切れ刃と切りくずとの接触領域の増加、接触領域の変動が生じる。そのため、切りくず処理が非常に困難であった。
【０００６】
さらに近年、環境対策の一環として、従来から多用されていた鉛快削鋼は、鉛が人体に悪影響を及ぼすとの観点から鉛の使用量を制限されはじめており、特に水道用バルブなどでは法規制の対象になっている。こうしたなか、一般機械部品などにも鉛フリー材が多用されるようになっている。この鉛フリー材は、従来の鉛快削鋼にくらべ著しく被削性が低下するため、鉛フリー材の仕上げ切削における切りくず処理は困難を極め、改善が望まれていた。
【０００７】
本発明は、上述した問題に鑑みなされたものであり、その目的は、切りくずが伸びやすい被削材の切削加工、特に仕上げ切削における切りくず処理性を改善したチップを提供することにある。
【課題を解決するための手段】
【０００８】
上記目的を達成するために、本発明のチップは、すくい面と逃げ面との交差稜線部に切れ刃を形成し、前記すくい面に対向する方向からみたとき、該切れ刃は、円弧状をなすノーズ切れ刃と、該ノーズ切れ刃の両側に連なり直線状をなす横切れ刃とからなり、一方、該切れ刃は、逃げ面に対向する方向からみたとき、該切れ刃に沿って山部と谷部を繰り返す波形の形状をなすスローアウェイチップにおいて、該ノーズ切れ刃を二等分するノーズ先端部を山部とし、前記ノーズ先端部から両側へ離れる方向に向かって谷部と山部を交互に連続して形成し、該切れ刃のすくい面上の内側の領域には、該切れ刃に沿って該切れ刃に連なる第１すくい面と、前記第１すくい面の内側に連なる第２すくい面とが備えられ、前記山部における前記第１すくい面の水平方向の幅、すくい角をそれぞれＬ１、α１とし、前記谷部における前記第１すくい面の水平方向の幅、すくい角をそれぞれＬ２、α２としたとき、Ｌ１＜Ｌ２、α１＞α２の関係にあり、該ノーズ切れ刃から第１すくい面を介して連なる第２すくい面には、該ノーズ切れ刃の二等分線方向内側に向かって延びるブレーカ突起が連設され、該ブレーカ突起は、該ノーズ切れ刃の前記二等分線によって切断される断面において、前記第２すくい面から斜め上方へ立ち上がる第１傾斜面と、前記第１傾斜面と交差するとともに前記第１傾斜面よりも緩やかに斜め上方へ立ち上がり又は水平に延びる第２傾斜面とから形成されるとともに前記第２傾斜面の内側には着座面となるボス面が形成され、さらに前記第１傾斜面と前記第２傾斜面との交差部は、前記ノーズ先端部よりも高位、且つ前記ボス面よりも低位とされ、一方、該ブレーカ突起は、前記二等分線に直交する線によって切断される断面において、斜め上方へ立ち上がる傾斜側面を備え、前記傾斜側面の水平線に対する傾斜角度が４５〜７５°の範囲に設定されていることを特徴とする。
【発明の効果】
【０００９】
上述の構成を有したチップによれば、ブレーカ突起において、ノーズ切れ刃の二等分線方向に沿って斜め上方へ立ち上がる第１傾斜面と前記第１傾斜面よりも緩やかに斜め上方へ立ち上がり又は水平に延びる第２傾斜面との交差部がノーズ切れ刃を二等分するノーズ先端部よりも高位に形成されるので、前記第１傾斜面が仕上げ切削における切りくずを確実に拘束し、引き続き第２傾斜面が切りくずの流れを阻害せず円滑に排出する効果が得られる。
【００１０】
さらに、該ブレーカ突起は、ノーズ切れ刃の二等分線に直交する線によって切断される断面において、傾斜側面の水平線に対する角度が４５〜７５°の範囲に設定され、立ち上がり角度が大きくなるので、上述の切りくずを拘束する効果がさらに高められ、切りくずを確実にカールさせ、安定した切りくず処理性をもたらす。しかも、切れ刃と前記傾斜側面との間に十分に広い切りくずポケットが確保されるので、切りくずが伸びやすい場合にも切りくず詰まりの発生がおさえられ切削抵抗が増大しない。
【００１１】
さらに、切れ刃は山部から谷部に近づくにしたがって強度が漸次高くなるため、切削時に切りくずの噛み込みや切削負荷の変動が生じたとき、チッピングや欠損の発生が抑制され、該切れ刃の寿命が改善される。
【００１２】
上述の構成を有する本発明に係るチップは、該ノーズ切れ刃の前記二等分線方向に切断される断面において、前記ボス面と前記ノーズ先端部との高さの差をｔ１とし、前記ボス面と前記ノーズ先端部との高さの差をｔ２としたとき、１＜ｔ１／ｔ２＜５の関係にあることが好ましい。このように限定したのは、ｔ１／ｔ２＝１になると、前記交差部が前記ノーズ先端部と同じ高さとなり、切りくずを拘束する効果が得られにくくなり、ｔ１／ｔ２≧５になると、前記交差部が前記ノーズ先端部よりも著しく高位となり、切りくずの流れを阻害し、切りくず詰まり、切削抵抗の増大を招くおそれがあるからである。
【００１３】
本発明に係るチップは、該ノーズ切れ刃の前記二等分線方向に切断される断面において、前記ノーズ先端部と前記第２すくい面の最深部との水平方向の間隔をＳ１とし、前記ノーズ先端部と前記交差部との水平方向の距離をＳ２としたとき、１＜Ｓ２／Ｓ１＜４の関係にあることが好ましい。このように限定したのは、Ｓ２／Ｓ１＝１になると、第１傾斜面および前記交差部が形成されず、切りくずを拘束できないおそれがあり、Ｓ２／Ｓ１≧４になると、前記ノーズ先端部と前記交差部との水平方向の間隔が大きくなり、切りくずが拘束されず伸びやすくなるからである。
【００１４】
本発明に係るチップは、該ノーズ切れ刃の前記二等分線方向に切断される断面において、前記第１傾斜面と水平線とのなす角度（β１）が２０〜５０°の範囲に設定され、さらに前記第２傾斜面と水平線とのなす角度（β２）が０〜３０°の範囲に設定されることが好ましい。このように限定したのは、前記角度（β１）が２０°未満になると、前記交差部とノーズ先端部との水平方向の間隔が大きくなるか、または、ノーズ先端部に対して前記交差部が十分に高位とならず、前記交差部によって切りくずが拘束されないおそれがあり、前記角度（β１）が５０°を超えると、前記交差部とノーズ先端部との水平方向の間隔が小さくなるか、または、ノーズ先端部に対して前記交差部が著しく高位となり、切りくず詰まりを起こすおそれがあるからである。また前記角度（β２）が０°未満になると、該ブレーカ突起の前記交差部近傍の強度が低下するおそれがあり、前記角度（β２）が３０°を超えると、第２傾斜面が切りくずの排出を阻害するおそれがあるからである。
【００１５】
本発明に係るチップは、該切れ刃の直角断面において、前記山部における前記第１すくい面のすくい角（α１）が０°＜α１≦１５°の範囲に設定され、前記谷部における前記第１すくい面のすくい角（α２）が０°＜α２≦１０°の範囲に設定されることが好ましい。このように限定したのは以下の理由による。前記すくい角（α１）が０°以下になると、ノーズ切れ刃および横切れ刃の切れ味が低下し、切削抵抗が増大するおそれがあり、前記すくい角（α１）が１５°を超えると、ノーズ切れ刃および横切れ刃の刃先強度が低下し、切れ刃寿命が短くなるおそれがある。なお、前記すくい角（α１）は０°＜α１≦１０°の範囲に設定するのがより好ましく、そうすれば、よりいっそう刃先強度が高められ、突発的な切りくずの噛み込み等が生じてもチッピングや欠損が防止できる。また前記すくい角（α２）が０°以下ではノーズ切れ刃および横切れ刃の切れ味が低下し、切削抵抗が増大するおそれがあり、前記すくい角（α２）が１０°を越えると、ノーズ切れ刃および横切れ刃の刃先強度が低下し、切れ刃寿命が短くなるおそれがある。なお、前記すくい角（α２）は０°＜α２≦７°の範囲に設定するのがさらに好ましく、そうすれば、よりいっそう刃先強度が高められ、突発的な切りくずの噛み込み等が生じてもチッピングや欠損が防止できる。
【００１６】
本発明に係るチップは、該切れ刃の直角断面において、前記山部における前記第１すくい面の水平方向の幅Ｌ１が０ｍｍ＜Ｌ１≦０．５ｍｍの範囲に設定され、前記谷部における前記第１すくい面の水平方向の幅Ｌ２が０ｍｍ＜Ｌ２≦０．７ｍｍの範囲に設定されることが好ましい。このように限定したのは、前記幅Ｌ１が０ｍｍになると、切れ刃の刃先強度が低下してしまうおそれがあり、前記幅Ｌ１が０．５ｍｍより大きくなると、切りくず処理性が低下するおそれがあるからである。また前記幅Ｌ２が０ｍｍになると、切れ刃の刃先強度が低下してしまうおそれがあり、前記幅Ｌ２が０．７ｍｍより大きくなると、切りくず処理性が低下してしまうためである。
【００１７】
本発明に係るチップは、該切れ刃を前記逃げ面に対向する方向からみたとき、前記ノーズ先端部に隣接する谷部を挟んで形成される下り傾斜切れ刃と上り傾斜切れ刃とのなす角度（θ）が１２０°＜θ≦１７０°の範囲に設定されることが好ましい。このように限定すれば、低切込み条件において、前記ノーズ切れ刃から生じる切りくずは、加工面から遠ざかる方向へ向かって排出されるとともに、該ブレーカ突起によって横向きカールせしめられることになり、切りくず処理性が良好なうえ、加工面への切りくず擦過が防止される。前記角度（θ）が１２０°以下では、前記下り傾斜切れ刃の傾斜角度が大きすぎて、切りくずが流れてしまうおそれがあり、また前記ノーズ先端部が先鋭となり強度低下のおそれがある。また前記角度（θ）が１７０°を超えると、前記下り傾斜切れ刃の傾斜角度が小さくなり、前述の効果が得られないおそれがあるからである。
【００１８】
本発明に係るチップは、該切れ刃を前記逃げ面に対向する方向からみたとき、前記ノーズ先端部から前記ノーズ先端部に隣接する谷部までの水平方向の間隔をＷ１とし、前記谷部から前記谷部の前記ノーズ先端部の反対側に隣接する山部までの水平方向の間隔をＷ２としたとき、１＜Ｗ１／Ｗ２＜２の関係にあることが好ましい。このように限定したのは、Ｗ１／Ｗ２≦１になると、ノーズ先端部から横切れ刃にかけて斜め下方へ傾斜した切れ刃の水平方向の長さが短くなり、切りくず処理性が低下するおそれがあり、Ｗ１／Ｗ２≧２になると、斜め下方へ傾斜した前記切れ刃の水平方向の長さが長くなり、切りくずの上向きカールの傾向が強くなり流れやすくなるからである。
【００１９】
本発明に係るチップは、該切れ刃を前記逃げ面に対向する方向からみたとき、前記ノーズ先端部から前記ノーズ先端部と隣接する谷部までの水平方向の間隔をＷ１とし、該切れ刃の山部と谷部との高さの差をＤとしたとき、５＜Ｗ１／Ｄ≦２０の関係にあることが好ましい。このように限定したのは、Ｗ１／Ｄ≦５になると、前記谷部とブレーカ突起との高さの差が大きくなりすぎて、切りくず詰まりを起こすおそれがあり、Ｗ１／Ｄ＞２０になると、前記谷部とブレーカ突起との高さの差が小さくなりすぎて、切りくずがブレーカ突起を飛び越えてしまうおそれがあるからである。
【発明を実施するための最良の形態】
【００２０】
次に、本発明を適用した一実施例について図を参照しながら説明する。図１〜図９に本実施例のチップを示す。図１は本実施例のチップの正面図であり、図２は図１に示すチップの下面図である。図３は図１に示すチップの要部拡大正面図であり、図４は図１に示すチップの要部斜視図である。図５は図１におけるＡ−Ａ断面図であり、図６は図１におけるＢ−Ｂ断面のブレーカ突起のみを示した図である。図７は図１に示すチップの切れ刃の山部における切れ刃直角断面図であり、図８は図１に示すチップの切れ刃の谷部における切れ刃直角断面図である。図９は図１に示すチップの逃げ面に対向する方向からみた切れ刃形状を示す図である。
【００２１】
図１および図２に示すように、本実施例のチップ（１）は、上下面が対頂角５５°の菱形をなし、上面および下面がすくい面（２）、周面が逃げ面（３）とされ、前記すくい面（２）と前記逃げ面（３）との交差する稜線部に切れ刃（４）が形成される。該切れ刃（４）は、対頂部に円弧状のノーズ切れ刃（５）と、該ノーズ切れ刃（５）の両側に直線状の横切れ刃（６）が形成される。そして、該切れ刃（４）のすくい面（２）上の内側の領域には、該切れ刃（４）に沿って該切れ刃（４）に連なる第１すくい面（２ａ）が設けられ、前記第１すくい面（２ａ）に連続して内側に第２すくい面（２ｂ）が形成される。ここで、前記第１すくい面（２ａ）のすくい角（α１）よりも前記第２すくい面（２ｂ）のすくい角（α２）が大きく設定されている。そして、前記第２すくい面（２ｂ）の内側には、内側に向かって斜め上方に傾斜する立ち上がり斜面（７）を介して、該切れ刃（４）よりも高位のボス面（８）が形成される。該チップ（１）において、前記ボス面（８）は、鋭角コーナ部（Ｃ）および鈍角コーナ部（Ｄ）の対向する領域に形成され、図示しないバイトホルダへ装着されるときに着座面として作用する。また、該チップ（１）の中央部には上下面を貫通する取付穴（９）が形成される。
【００２２】
図２および図９に示すように、該切れ刃（４）は、逃げ面（３）に対向する方向からみたとき、該切れ刃（４）に沿って山部（１０）と谷部（１１）を交互に繰り返す波形の形状をなす。本実施例のチップ（１）では、該ノーズ切れ刃（５）と該ノーズ切れ刃（５）の２等分線（Ｉ）とが交差するノーズ先端部（５ａ）を前記波形における第１の山部（１０ａ）とし、該ノーズ先端部（５ａ）から両側へ離れる方向に向かって第１〜第５の山部（１０ａ、１０ｂ、１０ｃ、１０ｄ、１０ｅ）と第１〜第５の谷部（１１ａ、１１ｂ、１１ｃ、１１ｄ、１１ｅ）を連続的に交互に繰り返す波形の切れ刃形状をなす。
【００２３】
図９に示すように、該切れ刃（４）の波形の形状において、第１の谷部（１１ａ）を挟んで両側に形成される下り傾斜切れ刃（４ａ）と上り傾斜切れ刃（４ｂ）とのなす角度（θ）は、１２０°＜θ≦１７０°の範囲に設定されることが好ましい。そうすれば、前記下り傾斜切れ刃（４ａ）から生じる切りくずは、加工面から遠ざかる方向へ向かって排出され加工面へ擦過することがない。前記角度（θ）が１２０°以下では、前記下り傾斜切れ刃（４ａ）の傾斜角度が大きすぎて、切りくずが流れてしまうおそれがあり、またノーズ先端部（５ａ）が先鋭となり強度低下のおそれがある。また前記角度（θ）が１７０°を超えると、前記下り傾斜切れ刃（４ａ）の傾斜角度が小さくなり、前述の効果が得られないおそれがあるからである。
【００２４】
前記山部（９）と前記谷部（１０）において、第１すくい面（２ａ）の水平方向の幅とすくい角は異なっている。すなわち、図７および図８に示すように、前記山部（９）における前記水平方向の幅（Ｌ１）と、前記谷部（１０）における同幅（Ｌ２）とは、Ｌ１＜Ｌ２の関係にあり、また、前記山部（９）におけるすくい角（α１）と、前記谷部（１０）におけるすくい角（α２）とは、α１＞α２の関係にあり、そして、前記山部（９）と前記谷部（１０）とをつなぐ傾斜切れ刃部では、前記第１すくい面の水平方向の幅とすくい角は漸次変化する。このような構成によって、該切れ刃（４）は、前記山部（９）から前記谷部（１０）に近づくにしたがって刃先強度が漸次高くなるため、切削時に切りくずの噛み込みや切削負荷の変動が生じたとき、チッピングや欠損の発生が抑制され、該切れ刃（４）の寿命が改善される。
【００２５】
詳細には、図７に示すように、前記山部（９）において、前記第１すくい面（２ａ）の水平方向の幅（Ｌ１）が０ｍｍ＜Ｌ１≦０．５ｍｍの範囲に設定され、前記第１すくい面（２ａ）のすくい角（α１）は０°＜α１≦１５°の範囲に設定されることが好ましい。このように限定したのは、前記幅（Ｌ１）が０ｍｍになると、前記山部（９）の刃先強度が低下してしまうおそれがあり、前記幅（Ｌ１）が０．５ｍｍより大きくなると、切りくず処理性が低下するおそれがあるからである。また前記すくい角（α１）が０°以下になると、前記山部（９）の切れ味が低下し、切削抵抗が増大するおそれがあり、前記すくい角（α１）が１５°を超えると、前記山部（９）の刃先強度が低下し、切れ刃寿命が短くなるおそれがある。なお、前記すくい角（α１）は０°＜α１≦１０°の範囲に設定するのがより好ましく、そうすれば、よりいっそう刃先強度が高められ、突発的な切りくずの噛み込み等が生じてもチッピングや欠損が防止できる。
【００２６】
図８に示すように、前記谷部（１０）において、前記第１すくい面（２ａ）の水平方向の幅（Ｌ２）は、０ｍｍ＜Ｌ２≦０．７ｍｍの範囲に設定され、前記第１すくい面（２ａ）のすくい角（α２）は０°＜α２≦１０°の範囲に設定されるのが好ましい。前記幅（Ｌ２）が０ｍｍになると、前記谷部（１０）の刃先強度が低下してしまうおそれがあり、前記幅（Ｌ２）が０．７ｍｍより大きくなると、切りくず処理性が低下してしまうためである。また前記すくい角（α２）が０°以下では前記谷部（１０）の切れ味が低下し、切削抵抗が増大するおそれがあり、前記すくい角（α２）が１０°を越えると、前記谷部（１０）の刃先強度が低下し、切れ刃寿命が短くなるおそれがある。なお、前記すくい角（α２）は０°＜α２≦７°の範囲に設定するのがさらに好ましい。そうすれば、よりいっそう刃先強度が高められ、突発的な切りくずの噛み込み等が生じてもチッピングや欠損が防止できる。なお、本実施例では、Ｌ１＝０．４ｍｍ、Ｌ２＝０．６ｍｍ、α１＝７°、α２＝３°に設定されている。
【００２７】
該ノーズ切れ刃（５）のすくい面（２）上の内側の領域には、図３および図４に示すように、該ノーズ切れ刃（５）の二等分線（Ｉ）に対して線対称に、内側に延びるブレーカ突起（２０）が形成される。該ブレーカ突起（２０）は、図５に示すように前記二等分線（Ｉ）方向に切断した断面（Ａ−Ａ断面）において、該ノーズ切れ刃（５）から第１すくい面（２ａ）を介してつながる第２すくい面（２ｂ）から内側（図５の右側）に向かって斜め上方に向かって立ち上がる第１傾斜面（２１）と、前記第１傾斜面（２１）に交差するとともに前記第１傾斜面（２１）よりも緩やかな角度で立ち上がるか又は水平線と平行に延びる第２傾斜面（２２）とを備える。そして、前記第２傾斜面（２２）の内側には着座面となるボス面（８）が形成される。ここで、前記第１傾斜面（２１）と前記第２傾斜面（２２）との交差部（２３）は、ノーズ先端部（５ａ）よりも高位、且つ前記ボス面（８）よりも低位となるように形成される。このような構成によれば、該ブレーカ突起（２０）において、前記第１傾斜面（２１）が仕上げ切削における切りくずを確実に拘束し、引き続き前記第２傾斜面（２２）が切りくずの流れを阻害せず円滑に排出するので、切りくず処理性が良好となる。
【００２８】
ここで、図５に示すように、前記ボス面（８）と前記ノーズ先端部（５ａ）との高さの差をｔ１とし、前記ボス面（８）と前記ノーズ先端部（５ａ）との高さの差をｔ２としたとき、１＜ｔ１／ｔ２＜５の関係にあることが好ましい。このように限定したのは、ｔ１／ｔ２＝１になると、前記交差部（２３）が前記ノーズ先端部（５ａ）と同じ高さとなり、切りくずがブレーカ突起（２０）を飛び越えてしまうおそれがあり、ｔ１／ｔ２≧５になると、前記交差部（２３）が前記ノーズ先端部（５ａ）よりも著しく高位となり、切りくずの流れを阻害し、切りくず詰まり、切削抵抗の増大を招くおそれがあるからである。
【００２９】
また、図５に示すように、前記ノーズ先端部（５ａ）と前記第２すくい面（２２）の最深部（２ｃ）との水平方向の間隔をＳ１とし、前記ノーズ先端部（５ａ）と前記交差部（２３）との水平方向の距離をＳ２としたとき、１＜Ｓ２／Ｓ１＜４の関係にあることが好ましい。このように限定したのは、Ｓ２／Ｓ１＝１になると、前記交差部（２３）を形成する第１傾斜面（２１）が形成されないため、切りくずを拘束できないおそれがあり、Ｓ２／Ｓ１≧４になると、前記ノーズ先端部（５ａ）と前記交差部（２３）との水平方向の間隔が大きくなり、切りくずが拘束されず伸びやすくなるからである。
【００３０】
さらに、図５に示すように、前記第１傾斜面（２１）と水平線とのなす角度（β１）が２０〜５０°の範囲に設定され、さらに前記第２傾斜面（２２）と水平線とのなす角度（β２）が０〜３０°の範囲に設定されることが好ましい。このように限定したのは、前記角度（β１）が２０°未満になると、前記交差部（２３）とノーズ先端部（５ａ）との水平方向の間隔が大きくなるか、または、前記ノーズ先端部（５ａ）に対して前記交差部（２３）が十分に高位とならず、前記第１傾斜面（２１）によって切りくずが拘束されないおそれがあり、前記角度（β１）が５０°を超えると、前記交差部（２３）と前記ノーズ先端部（５ａ）との水平方向の間隔が小さくなるか、または、前記ノーズ先端部（５ａ）に対して前記交差部（２３）が著しく高位となり、切りくず詰まりを起こすおそれがあるからである。また前記角度（β２）が０°未満になると、該ブレーカ突起（２０）の強度が低下するおそれがあり、前記角度（β２）が３０°を超えると、前記第２傾斜面（２２）が切りくずの排出を阻害するおそれがあるからである。
【００３１】
また該ブレーカ突起（２０）は、図６に示すように前記二等分線（Ｉ）に直角な方向に切断した断面（Ｂ−Ｂ断面）において、上方へ逆Ｖ字状に突出し、前記二等分線（Ｉ）を基準として左右対称に斜め上方に向かって立ち上がる傾斜側面（２４）が形成され、前記傾斜側面（２４）は、水平線に対する傾斜角度（γ）が４５〜７５°の範囲に設定される。このような構成によれば、該ブレーカ突起（２０）の前記傾斜側面（２４）の前記傾斜角度（γ）が大きくなるので、切りくずを拘束する効果がよりいっそう高められ、切りくずを確実にカールさせ、安定した切りくず処理性をもたらす。しかも、該切れ刃（４）と前記傾斜側面（２４）との間に十分に広い切りくずポケット（２６）が確保されるので、切りくずが伸びやすい場合にも切りくず詰まりの発生がおさえられ切削抵抗が増大しない。
【００３２】
以上に説明した該ブレーカ突起（２０）の効果に加えて、上述したノーズ先端部（５ａ）から横切れ刃（６）にかけて形成される下り傾斜切れ刃（４ａ）によってもたらされる切りくずを加工面から遠ざかる方向へ向かって排出させる効果によって、伸びやすく排出方向の変わりやすい切りくずが生成されやすい仕上げ加工におけるＲ加工、倣い加工において、切りくずは、伸びることがなくほぼ均一な横向きカールしながら一定方向に向かって排出され、適度な長さで切断し、加工面を傷付けることがない。
【００３３】
図１〜図９に示すチップ（１）において、ブレーカ突起（２０）の傾斜側面（２４）の傾斜角度（γ）、第１傾斜面（２１）の傾斜角度（β１）、の第２傾斜面（２２）の傾斜角度（β２）をそれぞれ表１に示すように変化させたチップを作製し、以下の切削条件で切削試験を行った。
【００３４】
切削条件
切削速度Ｖｃ＝２００ｍ／ｍｉｎ
切込みａｐ＝０．２〜１．５ｍｍ（変動）
送りｆ＝０．０５〜０．１５ｍｍ／ｒｅｖ（変動）
切削油：なし
被削材：ＳＣｒ４２０（ＪＩＳ）
チップ形状：ＤＮＭＧ１５０４０８
加工形態：倣い加工およびＲ加工
【００３５】
これらの切削試験において、切りくず処理性および切りくず詰まりの評価を行った。試験結果を表１に示す。なお、表１中の切りくず処理性の評価は、特に良好◎、良○、不良△とし、切りくず詰まりの評価は、○切りくず詰まり無し、△切りくず詰まり気味、×切りくず詰まりとした。
【００３６】
表１
2005096034.tif 000003
【００３７】
表１の試験結果から明らかなように、本発明の実施例である試料Ｎｏ．２、４、５、７、９は、切りくず処理性が優れるとともに切りくず詰まりが全く発生しなかった。試料Ｎｏ．７の切りくず形状を図１０に示す。この図からわかるように、切込みａｐ＝０．５〜１．５ｍｍ、送りｆ＝０．０７５〜０．１５ｍｍ／ｒｅｖの範囲で優れた切りくず処理性が得られた。一方、ブレーカ突起（２０）の傾斜側面（２４）の傾斜角度（γ）が本発明より小さい試料Ｎｏ．１は、切りくずが伸びてしまう結果となった。このときの切りくず形状を図１１に示すが、この図からわかるように、切込みａｐ＝０．５〜０．７ｍｍ、送りｆ＝０．０７５〜０．１ｍｍ／ｒｅｖの低切込み低送り条件において切りくず処理性が劣っている。さらに前記傾斜角度（γ）が本発明より大きい試料Ｎｏ．１０は、切りくず詰まりが発生した。ブレーカ突起（２０）の第１傾斜面（２１）の傾斜角度（β１）が本発明より小さい試料Ｎｏ．３は、切りくずが伸びてしまう結果となり、前記傾斜角度（β１）が本発明より大きい試料Ｎｏ．８は、切りくずが詰まり気味であった。ブレーカ突起（２０）の第２傾斜面（２２）の傾斜角度（β２）が本発明より大きい試料Ｎｏ．６は、切りくずが詰まり気味であり、切削抵抗の増加がみられた。
【００３８】
本発明のチップは、以上に説明したチップに限定されることがなく、すくい面に対向する方向からみた形状は三角形、四角形、六角形等変更可能なことは言うまでもなく、本発明の要旨を逸脱しない範囲において種々変形可能である。
【図面の簡単な説明】
【００３９】
【図１】本実施例のチップの正面図である。
【図２】図１に示すチップの下面図である。
【図３】図１に示すチップの要部拡大正面図である。
【図４】図１に示すチップの要部斜視図である。
【図５】図１におけるＡ−Ａ断面図である。
【図６】図１におけるＢ−Ｂ断面のブレーカ突起のみを示した図である。
【図７】図１に示すチップの切れ刃の山部における切れ刃直角断面図である。
【図８】図１に示すチップの切れ刃の谷部における切れ刃直角断面図である。
【図９】図１に示すチップの逃げ面に対向する方向からみた切れ刃形状を示す図である。
【図１０】本実施例のチップの切りくず形状を示す図である。
【図１１】従来チップの切りくず形状を示す図である。
【図１２】従来チップの要部斜視図である。
【図１３】図１２に示すチップのコーナ部拡大図であり、（ａ）は拡大正面図であり、（ｂ）および（ｃ）はブレーカ突起の拡大正面図である。
【符号の説明】
【００４０】
１  チップ
２  すくい面
２ａ  第１すくい面
２ｂ  第２すくい面
３  逃げ面
４  切れ刃
４ａ  傾斜切れ刃
５  ノーズ切れ刃
５ａ  ノーズ先端部
６  横切れ刃
７  立ち上がり斜面
８  ボス面
９  取付穴
１０、１０ａ、１０ｂ、１０ｃ、１０ｄ、１０ｅ  山部
１１、１１ａ、１１ｂ、１１ｃ、１１ｄ、１１ｅ  谷部
１２  ノーズ切れ刃
２０  ブレーカ突起
２１  第１傾斜面
２２  第２傾斜面
２３  交差部
２４  傾斜側面
２６  切りくずポケット部
【図１】
2005096034.tif 000004
【図２】
2005096034.tif 000005
【図３】
2005096034.tif 000006
【図４】
2005096034.tif 000007
【図５】
2005096034.tif 000008
【図６】
2005096034.tif 000009
【図７】
2005096034.tif 000010
【図８】
2005096034.tif 000011
【図９】
2005096034.tif 000012
【図１０】
2005096034.tif 000013
【図１１】
2005096034.tif 000014
【図１２】
2005096034.tif 000015
【図１３】
2005096034.tif 000016